(57)【要約】【課題】非書込動作時に画像書込装置の小型化を可能にする技術を提供する。【解決手段】画像書込装置２０のコントローラは、電子ペーパー１０への書き込みが終了して、書込動作を行わない非書込時になると、光照射バー３１を矢印Ａ２方向に移動させて、ロッド挿通孔２４の端部まで移動ロッド４２を移動させる（ｂ）。光照射バー３１を移動ロッド４２に対して矢印Ｂ方向に回動させる。側面に位置した露光部３３を筐体２１の側面に押し付けて、光照射バー３１が筐体２１から突出する部位をなくす。【選択図】図８
2009093090.tif 000002
【特許請求の範囲】
【請求項１】
表示記録媒体に画像が投影された光を照射することによって、前記表示記録媒体の表示部に前記画像を書き込む画像書込装置であって、
当該画像書込装置の基台をなす筐体と、
前記筐体に設けられ、前記表示記録媒体の表示部を外側に向けて載置される載置台と、
前記載置台上の前記表示記録媒体に対し、一の方向に亘って光を照射する光源を備えた光照射手段と、
前記載置台の平面で他の方向に向かって光が順次照射されるように前記光照射手段を移動させる照射移動手段と、
当該画像書込装置が前記表示記憶媒体に対して画像の書込動作を行わない非書込時にあっては、前記光照射手段を前記筐体側に収納する照射収納手段と、を具備する
ことを特徴とする画像書込装置。
【請求項２】
請求項１記載の画像書込装置において、
前記光照射手段は、複数の前記光源が一列に設けられた露光部と、該露光部の両端から前記照射移動手段に向けて延び、前記照射移動手段に支持される一対の脚部と、を備え、
前記照射移動手段は、前記光照射手段の脚部を回動可能に支持する支持部を有し、
前記照射収納手段は、前記照射移動手段によって前記光照射手段を前記筐体の一端に寄せた状態で、前記脚部を前記支持部に対して回動させて前記露光部を前記筐体の側面に位置させる
ことを特徴とする画像書込装置。
【請求項３】
請求項１記載の画像書込装置において、
前記光照射手段は、複数の前記光源が一列に設けられた露光部と、該露光部の両端から前記照射移動手段に向けて延び、前記照射移動手段に支持される一対の脚部と、を備え、
前記照射移動手段は、前記光照射手段の脚部を支持する支持部を備え、
前記照射収納手段は、前記筐体の所定位置に形成され、前記露光部が収納される収納溝を備え、前記照射移動手段によって前記光照射手段を前記所定位置に移動させた状態で当該光照射手段の前記露光部を前記収納溝内に収納する
ことを特徴とする画像書込装置。
【請求項４】
請求項３記載の画像書込装置において、
前記照射移動手段の支持部は、前記光照射手段の脚部を回動可能に支持する
ことを特徴とする画像書込装置。
【請求項５】
請求項３記載の画像書込装置において、
前記光照射手段の脚部は、前記露光部を前記脚部の伸長方向に昇降可能に支持する
ことを特徴とする画像書込装置。
【請求項６】
請求項２または４，５のうちいずれか１に記載の画像書込装置において、
前記露光部を前記表示記録媒体に対向する位置と、前記露光部を前記筐体側に収納される位置とに位置決めする位置決め手段を備える
ことを特徴とする画像書込装置。
【請求項７】
表示記録媒体に画像が投影された光を照射することによって、前記表示記録媒体の表示部に前記画像を書き込む画像書込装置であって、
当該画像書込装置の基台を構成し、有底筒状の基部と蓋部とを有する筐体と、
前記筐体の蓋部に設けられ、前記表示記録媒体の表示部を内側に向けて載置される載置台と、
前記筐体内に配置され、前記載置台上の前記表示記録媒体に対し、一の方向に亘って光を照射する光源を備える光照射手段と、
前記載置台の平面で他の方向に向かって光が順次照射されるように前記光照射手段を移動させる照射移動手段と、
当該画像書込装置が前記表示記憶媒体に対して画像の書込動作を行う書込時にあっては、前記基部に対して前記蓋部を上昇させて前記筐体内の空間を拡大させ、当該画像書込装置が前記表示記憶媒体に対して画像の書込動作を行わない非書込時にあっては、前記基部に対して前記蓋部を降下させて前記筐体内の空間を縮小させる蓋部昇降手段と、を備える
ことを特徴とする画像書込装置。
【請求項８】
請求項７記載の画像書込装置において、
前記光照射手段或いは前記照射移動手段のうち少なくともいずれか一方には、前記光源を前記筐体の厚さ方向に伸縮させる光源伸縮手段を有し、
前記光源伸縮手段は、前記蓋部昇降手段によって前記基部に対して前記蓋体を下げる際、前記蓋部或いは前記基部のいずれか一方に押されて前記光源を他方の部位側に移動させる
ことを特徴とする画像書込装置。
【発明の詳細な説明】
【技術分野】
【０００１】
本発明は、画像が投影された光を照射することによって、表示記録媒体の表示部に前記画像を記憶させる画像書込装置に関する。
【背景技術】
【０００２】
近年、電子情報の増加に伴い、電子情報を記録する紙の消費も増加している。しかし、一旦情報が記録された紙は捨てられるのが大半である。そのため、森林破壊、環境破壊の観点から紙の消費削減が切望され、紙に替わる記録媒体として、リライタブルの表示記憶媒体（所謂、電子ペーパー）がある。この電子ペーパーは一万回以上の書き換えが可能であり、画像の書き込みは、画像が投影された光を照射して画像の書き込みを行う画像書込装置が用いられる。
そして、この画像書込装置としては、例えば特許文献１がある。
【特許文献１】国際公開第２００４／０６８２３０号パンフレット
【発明の開示】
【発明が解決しようとする課題】
【０００３】
本発明の目的は、非書込動作時に画像書込装置の小型化を可能にする技術を提供することにある。
【課題を解決するための手段】
【０００４】
前記目的を達成するために、請求項１記載の発明は、表示記録媒体に画像が投影された光を照射することによって、前記表示記録媒体の表示部に前記画像を書き込む画像書込装置であって、当該画像書込装置の基台をなす筐体と、前記筐体に設けられ、前記表示記録媒体の表示部を外側に向けて載置される載置台と、前記載置台上の前記表示記録媒体に対し、一の方向に亘って光を照射する光源を備えた光照射手段と、前記載置台の平面で他の方向に向かって光が順次照射されるように前記光照射手段を移動させる照射移動手段と、当該画像書込装置が前記表示記憶媒体に対して画像の書込動作を行わない非書込時にあっては、前記光照射手段を前記筐体側に収納する照射収納手段と、を具備する画像書込装置を提供することにある。
【０００５】
請求項２記載の画像書込装置は、請求項１記載のものにおいて、前記光照射手段は、複数の前記光源が一列に設けられた露光部と、該露光部の両端から前記照射移動手段に向けて延び、前記照射移動手段に支持される一対の脚部と、を備え、前記照射移動手段は、前記光照射手段の脚部を回動可能に支持する支持部を有し、前記照射収納手段は、前記照射移動手段によって前記光照射手段を前記筐体の一端に寄せた状態で、前記脚部を前記支持部に対して回動させて前記露光部を前記筐体の側面に位置させることが好ましい。
【０００６】
請求項３記載の画像書込装置は、請求項１記載のものにおいて、前記光照射手段は、複数の前記光源が一列に設けられた露光部と、該露光部の両端から前記照射移動手段に向けて延び、前記照射移動手段に支持される一対の脚部と、を備え、前記照射移動手段は、前記光照射手段の脚部を支持する支持部を備え、前記照射収納手段は、前記筐体の所定位置に形成され、前記露光部が収納される収納溝を備え、前記照射移動手段によって前記光照射手段を前記所定位置に移動させた状態で当該光照射手段の前記露光部を前記収納溝内に収納することが好ましい。
【０００７】
請求項４記載の画像書込装置は、請求項３記載のものにおいて、前記照射移動手段の支持部は、前記光照射手段の脚部を回動可能に支持することが好ましい。
【０００８】
請求項５記載の画像書込装置は、請求項３記載のものにおいて、前記光照射手段の脚部は、前記露光部を前記脚部の伸長方向に昇降可能に支持することが好ましい。
【０００９】
請求項６記載の画像書込装置は、請求項２または４，５のうちいずれか１に記載のものにおいて、前記露光部を前記表示記録媒体に対向する位置と、前記露光部を前記筐体側に収納される位置とに位置決めする位置決め手段を備えることが好ましい。
【００１０】
前記目的を達成するために、請求項７記載の発明は、表示記録媒体に画像が投影された光を照射することによって、前記表示記録媒体の表示部に前記画像を書き込む画像書込装置であって、当該画像書込装置の基台を構成し、有底筒状の基部と蓋部とを有する筐体と、前記筐体の蓋部に設けられ、前記表示記録媒体の表示部を内側に向けて載置される載置台と、前記筐体内に配置され、前記載置台上の前記表示記録媒体に対し、一の方向に亘って光を照射する光源を備える光照射手段と、前記載置台の平面で他の方向に向かって光が順次照射されるように前記光照射手段を移動させる照射移動手段と、当該画像書込装置が前記表示記憶媒体に対して画像の書込動作を行う書込時にあっては、前記基部に対して前記蓋部を上昇させて前記筐体内の空間を拡大させ、当該画像書込装置が前記表示記憶媒体に対して画像の書込動作を行わない非書込時にあっては、前記基部に対して前記蓋部を降下させて前記筐体内の空間を縮小させる蓋部昇降手段と、を備える画像書込装置を提供することにある。
【００１１】
請求項８記載の画像書込装置は、請求項７記載のものにおいて、前記光照射手段或いは前記照射移動手段のうち少なくともいずれか一方には、前記光源を前記筐体の厚さ方向に伸縮させる光源伸縮手段を有し、前記光源伸縮手段は、前記蓋部昇降手段によって前記基部に対して前記蓋体を下げる際、前記蓋部或いは前記基部のいずれか一方に押されて前記光源を他方の部位側に移動させることが好ましい。
【発明の効果】
【００１２】
請求項１記載の画像書込装置によれば、筐体の外側の突出した光照射手段を照射収納手段に筐体側に収納することにより、筐体から突出する部位をなくし、省スペース化を実現できる。
【００１３】
請求項２記載の画像書込装置によれば、光照射手段の脚部を照射移動手段の支持部に対して回動させて、露光部を筐体の側面に位置させることにより、筐体から突出する光照射手段の部位をなくすことができる。
【００１４】
請求項３記載の画像書込装置によれば、筐体の所定位置に形成した収納溝に露光部を収納することにより、筐体から突出する光照射手段の部位をなくすことができる。
【００１５】
請求項４，５記載の画像書込装置によれば、脚部を支持部に対して回動させたり、露光部を脚部の伸長方向に対して昇降させたりすることで、収納溝内に露光部を収納する。
【００１６】
請求項６記載の画像書込装置によれば、位置決め手段によって、露光部を表示記録媒体に対向する位置と、露光部を筐体側に収納される位置とに位置決めすることにより、露光部を筐体側に確実に収納できる。
【００１７】
請求項７記載の画像書込装置によれば、蓋部昇降手段によって、当該画像書込装置が前記表示記憶媒体に対して画像の書込動作を行う書込時にあっては、前記基部に対して前記蓋部を上げて前記光照射手段が移動する空間を確保し、当該画像書込装置が前記表示記憶媒体に対して画像の書込動作を行わない非書込時にあっては、前記基部に対して前記蓋部を下げて前記空間を縮小させるようになり、基部に対して蓋部を押し付けて筐体の厚さ寸法を薄くして省スペース化を実現する。
【００１８】
請求項８記載の画像書込装置によれば、光源を筐体の厚さ寸法に伸縮させる光源伸縮手段により、蓋部昇降手段により基部に対して蓋部を押し付けた場合には、いずれか一方の部位に光源が押されて他方の部位側に移動する。
【発明を実施するための最良の形態】
【００１９】
以下、図面を参照して本発明の実施形態について説明する。
［第１実施形態］
＜画像書込装置の構成＞
以下、第１実施形態に係る画像書込装置について説明する。この第１実施形態の特徴は、電子ペーパーの書込面を外側にして設置し、装置の筐体から突出した光照射バーから電子ペーパーの書込面に画像が投影された光を照射する点にある。
図１は画像書込装置２０の外観を示す斜視図である。この画像書込装置２０は、載置台２２を有する筐体２１と、筐体２１から突出するように設けられた光照射バー３１と、光照射バーを矢印Ａ１，Ａ方向（以下、特に区別する必要のない場合には矢印Ａという）に往復動可能にするバー移動機構４１（図２乃至図４参照）と、を具備する。
筐体２１は断面が長方形の浅底の直方体状に形成され、その長尺方向の一方側には偏って外形矩形状の載置台２２が凹設され、他方には図示しないコントローラ等の回路や駆動機構等を収容する収容部２３が形成される。また、長尺な側面にはバー移動機構４１の移動ロッド４２の端部が挿通される長孔のロッド挿通孔２４が、側面の長さ方向に穿設される。
【００２０】
光照射バー３１は、載置台２２に載置された電子ペーパー１０と対向する位置に配置され、バー移動機構４１によって矢印Ａ１，Ａ２方向に往復動可能に載置される。光照射バー３１は、筐体２１に載置された電子ペーパー１０に対向する面に、ライン状に並んだ複数のＬＥＤ（Ｌｉｇｈｔ  Ｅｍｉｔｔｉｎｇ  Ｄｉｏｄｅ）とＬＥＤから照射される光を集光しつつ電子ペーパー１０に透過させるレンズを有するＬＥＤアレイ３２（図２参照）を備えている。なお、光照射バー３１はＬＥＤアレイに代えてライン状に並んだ半導体レーザ等を有していてもよい。
【００２１】
この光照射バー３１は、長尺な露光部３３と、この露光部３３の両端から鉛直方向に延びる脚部３４，３４とを有する。脚部３４の先端側には移動ロッド４２の支持部４２Ｄが軸支されるロッド挿嵌孔３５が穿設される。
以下の説明において、光照射バー３１の長手方向を「主方向」と呼び、主方向を横切る方向、すなわち図１の矢印Ａの方向を「副方向」と便宜上呼ぶ。
【００２２】
次に、図２乃至図４を参照しつつ、バー移動機構４１の構成について説明する。
バー移動機構４１は、副方向に伸長する移動ロッド４２と、この移動ロッド４２を主方向に移動させるための移動部４３と、移動ロッド４２を案内する案内部４４，４４とを有する。
移動ロッド４２は、図２および図５に示すように、円柱状の棒状体に対して、中央部とその中央部から離間した両側の位置にブロック４２Ａ，４２Ｂが一体形成される。移動ロッド４２の両端には鍔部４２Ｃを介して円柱状の支持部４２Ｄが形成され、この支持部４２Ｄには光照射バー３１のロッド挿嵌孔３５が回動可能に挿嵌される。鍔部４２Ｃは、脚部３４が筐体２１に直接接触するのを防止する。
【００２３】
移動部４３は、図３に示すように、移動ロッド４２のブロック４２Ａに主方向に延びるように穿設された雌ねじ部４２Ａ１と、この雌ねじ部４２Ａ１に螺合され、主方向に伸長して設けられた雄ねじ４３Ａと、この雄ねじ４３Ａの一端が回転軸に軸固定されたモータ４３Ｂと、雄ねじ４３Ａの他端に位置して雄ねじ４３Ａを回転自在に支持するフランジ４３Ｃと、を具備する。なお、雄ねじ４３Ａはモータ４３Ｂの回転軸と歯車列を介して連結されてもよい。
【００２４】
そして、移動部４３は、コントローラからの駆動信号を受けてモータ４３Ｂを回転させることにより、雄ねじ４３Ａが回転し、この回転を受けてブロック４２Ａ（光照射バー３１）が矢印Ａ方向に移動する。即ち、雄ねじ４３Ａを時計方向に回転する際には、雄ねじ４３Ａが雌ねじ部４２Ａ１にねじ込まれ、回り止めされたブロック４２Ａ（移動ロッド４２）が矢印Ａ１方向（図１参照）に移動し、一方雄ねじ４３Ａを反時計方向に回転させると、雄ねじ４３Ａが雌ねじ部４２Ａ１から抜け出し、ブロック４２Ａ（移動ロッド４２）が矢印Ａ２方向（図１参照）に移動する。
【００２５】
案内部４４は、図４に示すように、左右のブロック４２Ｂに副方向に延びるように穿設された案内孔４２Ｂ１と、これらの案内孔４２Ｂ１に挿通され、副方向に伸長して設けられた案内ロッド４４Ａと、この案内ロッド４４Ａを両端で支持するフランジ４４Ｂと、を具備する。そして、案内部４４は、移動ロッド４２の矢印Ａ方向への移動を案内すると共に、移動ロッド４２が雄ねじ４３Ａの回転で回転するのを規制する。
【００２６】
次に、移動ロッド４２の支持部４２Ｄに対して回動する光照射バー３１の回動位置決め機構３６を、図６に基づいて説明する。
回動位置決め機構３６は、脚部３４のロッド挿嵌孔３５に外側から貫通する貫通孔に挿入され、奥側から順に配置されたボール３６Ａ、付勢バネ３６Ｂ、封止部３６Ｃと、移動ロッド４２の支持部４２Ｄ外周面に形成された半球状のボール受け部３６Ｄ，３６Ｅとからなる。そして、ボール受け部３６Ｄ，３６Ｅは、支持部４２Ｄの周面のうち９０°離間した位置に形成される。ボール受け部３６Ｄ，３６Ｅには、付勢バネ３６Ｂによって移動ロッド４２側に付勢されるボール３６Ａが係合される。これにより、回動位置決め機構３６は、光照射バー３１の回動による停止位置を規制する。
【００２７】
回動位置決め機構３６は、ボール３６Ａをボール受け部３６Ｄに係合させた場合には、図６（ａ）に示すように、光照射バー３１は立った状態となり、光照射バー３１を矢印Ｂ方向に９０°回動させることにより、図６（ｂ）に示すように、ボール３６Ａがボール受け部３６Ｅに係合され、光照射バー３１は横たわった状態で回動が規制される。
【００２８】
＜電子ペーパーの構成＞
図７は、電子ペーパー１０の構造を示した図である。電子ペーパー１０は液晶層１１と、ラミネート層１３を挟んで液晶層１１に接する光電導体層１２とを、平板な電極１４および電極１５で挟み込んだ構造を有している。なお、電極１４は液晶層１１側に、また電極１５は光電導体層１２側に、各々配置されている。
【００２９】
液晶層１１は、コレステリック液晶を内包する多数のマイクロカプセル１１１と、液晶層１１においてマイクロカプセル１１１を保持するバインダ１１２とから構成されている。電子ペーパー１０はこのように液晶をマイクロカプセル１１１に内包する形で保持しているため、電子ペーパー１０が歪められても液晶の分子配向が乱れにくく、形成された画像が歪みにくい。なお、バインダ１１２は例えばポリマー層である。光電導体層１２は、光の照射を受けると抵抗値が下がる特性を有する電導体、例えば有機光電導体の層である。電極１４および電極１５のうち、少なくとも液晶層１１側に配置される電極１４は透明電極である。従って、図７の矢印Ｃの方向に液晶層１１に対し光の照射が可能である。
【００３０】
電極１４および電極１５の外側には、さらに基板１６および基板１７が各々配置されており、電子ペーパー１０の形状を維持している。基板１６および基板１７のうち、少なくとも液晶層１１側に配置される基板１６は透明である。基板１６および基板１７は、例えばＰＥＴ（ＰｏｌｙＥｔｈｙｌｅｎｅ  Ｔｅｒｅｐｈｔｈａｌａｔｅ）基盤である。また、光電導体層１２と電極１５の間には光を透過しない黒色層１８が設けられている。液晶層１１を透過した光は黒色層１８に吸収されるため、液晶層１１が光を透過する位置はユーザにとって黒く見える。これに対し、液晶層１１が光を反射する位置はユーザにとって液晶の反射光の色（以下、白であるものとする）に見える。なお、電極１５が透明電極である場合、黒色層１８は電極１５と基板１７の間に配置されてもよい。さらに、基板１７が透明である場合、黒色層１８は基板１７の外側に配置されてもよい。
【００３１】
ここで、前述した画像書込装置２０にて画像が書き込まれるための電子ペーパー１０の構成について説明する。電極１４または電極１５のいずれか一方は、光照射バー３１の長手方向に沿ってストライプ状に複数のサブ電極に分割して構成され、他方は電子ペーパー１０の面全体を覆うように構成する。なお、電極１５が電極１４と同様に複数のサブ電極に分割される構成としてもよい。ただし、その場合、互いに対向するサブ電極は同形、同サイズである必要がある。また、電極１５が複数のサブ電極に分割される構成とし、電極１４が電子ペーパー１０の面全体を覆う構成としてもよい。そして、サブ電極に対応した位置に光照射バー３１が架かる際、このサブ電極に電圧が印加されるように、各サブ電極から引き出された端子がコントローラを介して給電部（いずれも図示せず）に接続される。
【００３２】
コントローラは、移動ロッド４２の移動処理、電極１４，１５間の印加電圧の値および給電タイミング処理、電子ペーパー１０に書き込む画像データの処理、さらに後述する光照射バー収納処理等を行う。
そして、画像書込装置２０は、載置台２２に載置して電子ペーパー１０に画像を書き込む際、コントローラは、外部のデータ処理装置或いは内蔵した記憶装置から画像データを読み出し、この画像データに従いライン（主方向）毎の画像が投影された光データを生成する。そして、コントローラは、画像の書き込みを行う際には、移動してきた光照射バー３１のＬＥＤアレイ３２がサブ電極に架かる際、始めにこのサブ電極に予め記録された画像を消去するための消去電圧を電極１４，１５に印加しつつ一様な光の照射を行って画像の消去を行う。次に、書き込み電圧を電極１４，１５に印加した状態で、光照射バー３１のＬＥＤアレイ３２からこのサブ電極の位置に対応した画像が投影されたライン状の光を照射する。これにより、液晶層１１中のマイクロカプセル１１１に内包するコレステリック液晶に配光変化を起こさせ、画像を記憶する。
以上が、画像書込装置２０の基本動作である。
【００３３】
＜画像書込装置の特徴＞
次に、第１実施形態に係る画像書込装置２０の動作を、図８に基づいて説明する。
画像書込装置２０は、電子ペーパー１０への書き込みが終了して、書込動作を行わない非書込時になると、光照射バー収納処理を開始する。コントローラは、図８（ａ）に示すように、光照射バー３１を矢印Ａ２方向に移動させて、ロッド挿通孔２４の端部まで移動ロッド４２を移動させる（図８（ｂ））。
【００３４】
光照射バー３１は移動ロッド４２に対して回動可能に支持されているため、この状態で、ユーザが光照射バー３１を移動ロッド４２に対して矢印Ｂ方向に回動させる。この際、回動位置決め機構３６が動作する。
つまり、図８（ｂ）の状態にあっては、図６（ａ）のように、ボール３６Ａはボール受け部３６Ｄに係合され、付勢バネ３６Ｂからの付勢力を受けて光照射バー３１の脚部３４が立設した状態で移動ロッド４２に固定される。
【００３５】
ユーザが光照射バー３１を移動ロッド４２に対して回動させると、ボール３６Ａは、ボール受け部３６Ｄから外れて支持部４２Ｄの表面を転動して、付勢バネ３６Ｂから付勢力を受けたボール３６Ａは、ボール受け部３６Ｅにはまり込んで係合される。これにより、光照射バー３１は脚部３４を横向きにした状態で移動ロッド４２に固定される。
【００３６】
さらに、コントローラは、筐体２１の側面と露光部３３との距離ｄを縮めるため、移動部４３のモータ４３Ｂを動作させて光照射バー３１を矢印Ａ１方向に移動させ、筐体２１の側面に露光部３３に当接させる。この移動ロッド４２の移動開始は、回動位置決め機構３６或いは光照射バー３１側に位置検出センサを設けて、このセンサからの信号を受けて移動動作を開始するようにしても、図８（ｂ）に示す位置に光照射バー３１を移動させた後に所定時間（例えば、３秒）経過後に自動的に動作せるようにしてもよい。
【００３７】
＜画像書込装置の効果＞
このように構成される本実施形態による画像書込装置２０にあっては、電子ペーパー１０に画像を書き込む際に筐体２１から突出していた光照射バー３１を、非書込時には、筐体２１の側面に配置させることにより、光照射バー３１が筐体２１から突出するのをなくして非書込時に画像書込装置２０をコンパクトにでき、省スペース化を実現する。
また、光照射バー３１を筐体２１の側面に当接するように移動させることで、画像書込装置２０の省スペース化をより効果的に実現することができる。
【００３８】
（第１実施形態の変形例１）
第１実施形態に対する変形例１を、図９乃至図１１に示す。
変形例１の特徴は、筐体２１の収容部２３に主方向に延びる収納溝２５を形成し、この収納溝２５に光照射バー３１の露光部３３を収納するようにした点にある。なお、本変形例１では、前述した第１実施形態と同一の構成要素に同一の符号を付し、その説明を省略するものとする。
【００３９】
前述した如く、光照射バー３１は移動部４３によって矢印Ａ方向に移動可能となり、光照射バー３１は移動ロッド４２に対して矢印Ｂ方向に回動可能となっている。そして、移動ロッド４２に対する光照射バー３１の回動は、前述した回動位置決め機構３６によって規制される。但し、図６に示す回動位置決め機構３６では、光照射バー３１を上側と左側に向いた段階で回動規制させるため、ボール受け部３６Ｄ，３６Ｅは、ボール３６Ａの位置に対して図面中の右と上の位置に形成されているが、この変形例１では、光照射バー３１は上側と右側に向いた段階で回動規制させるため、ボール受け部３６Ｄ，３６Ｅは、右と下の位置に形成されていればよい。
【００４０】
コントローラは、画像の書き込みを行わない非書込時にあっては、図９に示すように、光照射バー３１を矢印Ａ１方向に移動させ、図１０に示すように、収納溝２５の手前で移動ロッド４２を停止させる。
この状態で、ユーザが光照射バー３１を移動ロッド４２に対して矢印Ｂ方向に回動させる。この際、回動位置決め機構３６が動作して光照射バーの露光部３３が収納溝２５内に収納される。
【００４１】
このように、変形例１による画像書込装置２０にあっても、電子ペーパー１０に画像を書き込む書込動作時には筐体２１から突出していた光照射バー３１を、非書込時には、収納溝２５内に露光部３３を収納することができ、省スペース化を実現する。
【００４２】
（第１実施形態の変形例２）
第１実施形態に対する変形例２を、図１２乃至図１４に示す。
変形例２の特徴は、筐体２１の収容部２３に主方向に延びる収納溝２５´を形成すると共に、光照射バー３１の露光部３３を昇降可能にした点にある。なお、本変形例２では、前述した第１実施形態と同一の構成要素に同一の符号を付し、その説明を省略するものとする。
【００４３】
本変形例２と第１実施形態の相違は、脚部３７に露光部３３の昇降を行う機構を備えた点にある。
脚部３７は、露光部３３に連結される断面矩形状の外側筒部３７Ａと、この外側筒部３７Ａの内側に入り込み断面矩形状の忠実体からなる内側柱部３７Ｂと、この内側支柱部３７Ｂに穿設され、移動ロッド４２の端部が回動を規制した形で嵌合される嵌合孔３７Ｃとを有する。嵌合孔３７Ｃと移動ロッド４２の連結部位は、移動ロッド４２に対して回動を規制した状態で嵌合されるように、互いに長方形状に形成される。
【００４４】
昇降位置決め機構３８は、図１３に示すように、内側柱部３７Ｂの側面に開口するように形成された取付穴３８Ａと、この取付穴３８Ａに配設され、奥側から付勢バネ３８Ｂ、係合爪３８Ｃと、外側筒部３７Ａに形成され、係合爪３８Ｃが係合される係合穴３８Ｄと、を具備する。ここで、係合爪３８Ｃおよび係合穴３８Ｄは断面が直角三角形状となり、斜辺が上側から下側に斜めに向けて形成される。
昇降位置決め機構３８は、外側筒部３７Ａを矢印Ｅ方向に降ろす場合には、互いの傾斜面に力が働くために係合爪３８Ｃが付勢バネ３８Ｂのバネ力に抗して取付穴３８Ａ内に収容されて外側筒部３７Ａを容易に降下させる。降下した状態では、係合爪３８Ｃの先端は外側筒部３７Ａの内周面に当接した状態となるため、引き上げた場合には係合爪３８Ｃが係合穴３８Ｄに係合される位置まで上昇する。さらに、外側筒部３７Ａを引き上げる場合には、係合穴３８Ｄに係合爪３８Ｃが係合した状態では、各三角形の底面が互いに当接して内側柱部３７Ｂから外側筒部３７Ａが抜けるのを防止する。
【００４５】
コントローラは、画像書込装置を使用しない場合には、図１４（ａ）に示すように、光照射バー３１を矢印Ａ１方向に移動させ、図１４（ｂ）に示すように、収納溝２５´上に露光部３３が来る位置で移動ロッド４２を停止させる。
この状態で、ユーザが露光部３３を矢印Ｅ方向に押し付ける。この際、昇降位置決め機構３８が動作する。そして、図１４（ｃ）のように、収納溝２５´内に露光部３３が収容される。
【００４６】
このように、変形例２による画像書込装置２０にあっては、光照射バー３１の脚部３７に昇降位置決め機構３８を備え、筐体２１の収容部２３に形成した収納溝２５´に光照射バー３１の露光部３３を収納することができ、当該装置の省スペース化を実現する。
【００４７】
［第２実施形態］
＜画像書込装置の構成＞
以下、第２実施形態に係る画像書込装置について説明する。この第２実施形態の特徴は、載置台に書込面を下側にして設置した電子ペーパーに対して書き込みを行うべく、筐体内に光照射バーを配置した画像書込装置において、筐体の高さ寸法を可変にした点にある。なお、前述した第１実施形態と同一の構成要素に同一の符号を付し、その説明を省略する。
【００４８】
図１５は第２実施形態に係る画像書込装置２００を示した分解斜視図である。この画像書込装置２００は、筐体２０１と、筐体２０１内に配設された光照射バー２３１と、光照射バー２３１を矢印Ａ１、Ａ２方向に往復動させるバー移動機構２４１と、を具備する。
ここで、筐体２０１は、箱状の基台２０２と、前記基台２０２を施蓋する蓋部２０３と、前記蓋部２０３にガラス等の透明部材によって形成され、電子ペーパー１０が載置される載置台２０４と、を具備する。
【００４９】
また、基台２０２と蓋部２０３との大きさの関係は、基台２０２の開口部を蓋部２０３が覆い、基台２０２に対して蓋部２０３が昇降するように、基台２０２の外形よりも蓋部２０３の内形が若干大きくなるように形成されている。これにより、蓋部昇降手段を構成する。
【００５０】
次に、昇降する蓋部２０３の位置を規制するための蓋部位置決め機構２０５について図１６を参照しつつ説明する。
この蓋部位置決め機構２０５は、例えば、筐体２０１の四隅に設けられ、基台２０２の側面に穿設された係合穴２０５Ａと、蓋部２０３の側面内側でこの係合穴２０５Ａと対向する位置に形成された取付穴２０５Ｂと、蓋部２０３の側面内側でこの取付穴２０５Ｂ内に設けられ、先端側が断面が直角三角形となった係合部２０５Ｃと、この係合部２０５Ｃを外側に付勢させる付勢バネ２０５Ｄとからなる。
【００５１】
蓋部位置決め機構２０５は、蓋部２０３を基台２０２に対して上昇させた場合、係合部２０５Ｃの底辺が係合穴２０５Ａの上側に係合して、基台２０２に対して蓋部２０３が上昇するのを規制し（図１６（ａ））、蓋部２０３を基台２０２に対して降下させた場合には、係合部２０５Ｃの斜辺が係合穴２０５Ａの開口部によって取付穴２０５Ｂ内に付勢バネ２０５Ｄのバネ力に抗して入り込む。これにより、蓋部位置決め機構２０５は、蓋部２０３を基台２０２に対して上昇させたときのみ、位置決めを行って、蓋部２０３の基台２０２からの抜け止めを図っている。
【００５２】
次に、光照射バー２３１について説明する。図１７は光照射バー２３１の分解斜視図である。光照射バー２３１は、直方体状のバー本体２３２と、このバー本体２３２を上側から覆う露光部２３３と、バー本体２３２と露光部２３３との間に配設されたコイルバネ２３４と、前記露光部２３３のうち、載置台２０４に設置された電子ペーパー１０に対向する面に設けられたＬＥＤアレイ２３５と、を具備する。コイルバネ２３４は露光部２３３がバー本体２３２から離間する方向にバネ力を発揮し、コイルバネ２３４が当接する面を浮いた状態で支持する。バー本体２３２と露光部２３３との位置決めに、前述した蓋部位置決め機構２０５を同様の形で用いてもよい。
以下の説明において、光照射バー２３１の長手方向を「主方向」と呼び、主方向を横切る方向、すなわち図１５の矢印Ａの方向を「副方向」と便宜上呼ぶ。
【００５３】
バー本体２３２には、図１７および図１８に示すように、長尺辺の中央に位置して副方向に延びるように穿設された雌ねじ部２３２Ａと、この雌ねじ部２３２Ａの両側に位置して同じく副方向に延びるように穿設された案内孔２３２Ｂと、上面に凹設されたバネ収容穴２３２Ｃとを有する。そして、雌ねじ部２３２Ａと案内孔２３２Ｂは、バー移動機構２４１の一部を構成する。また、雄ねじ部２３２Ａには雄ねじ２３２Ａが螺合され、案内孔２３２Ｂには案内ロッド２４４Ａが挿入される。
【００５４】
露光部２３３は、下側が開口した箱状に形成され、長尺な側面には、雄ねじ２４３Ａに対応する位置に開口部に向けて開口する断面Ｕ字状の挿入溝２３３Ａ、案内ロッド２４４Ａ，２４４Ａに対応する位置に開口部に向けて開口する断面Ｕ字状の挿入溝２３３Ｂ，２３３Ｂが形成され、バー本体２３２に露光部２３３を重ねた状態で、バネ収容穴２３２Ｃに対向する面にバネ収容穴２３３Ｃ（図１８、参照）が凹設される。
【００５５】
次に、図１８乃至図２０を参照しつつ、バー移動機構２４１の構成について説明する。
バー移動機構４１は、副方向に伸長するバー本体２３２と、このバー本体２３２を主方向に移動させるための移動部２４３と、バー本体２３２を案内する案内部２４４，２４４とを有する。
【００５６】
移動部２４３は、図１９に示すように、雌ねじ部２３２Ｃと、この雌ねじ部４２Ａ１に螺合され、主方向に伸長して設けられた雄ねじ２４３Ａと、この雄ねじ２４３Ａの一端が回転軸に軸固定されたモータ２４３Ｂと、雄ねじ２４３Ａの他端に位置して雄ねじ２４３Ａを回転自在に支持するフランジ２４３Ｃと、を具備する。
なお、雄ねじ２４３Ａはモータ２４３Ｂの回転軸と歯車列を介して連結されてもよい。
【００５７】
案内部２４４は、図２０に示すように、案内孔２３２Ｂ，２３２Ｂと、これらの案内孔２３２Ｂに挿通され、副方向に伸長して設けられた案内ロッド２４４Ａと、この案内ロッド２４４Ａを両端で支持するフランジ２４４Ｂと、を具備する。そして、案内部２４４は、バー本体２３２の矢印Ａ方向への移動を案内すると共に、バー本体２３２が雄ねじ２４３Ａの回転で回転するのを規制する。
【００５８】
そして、移動部２４３は、図示しないコントローラからの駆動信号を受けてモータ２４３Ｂを回転させることにより、雄ねじ２４３Ａが回転し、この回転を受けてバー本体２３２が矢印Ａ方向に移動する。即ち、雄ねじ２４３Ａを時計方向に回転する際には、雄ねじ２４３Ａが雌ねじ部２３２Ｃにねじ込まれ、回り止めされたバー本体２３２が矢印Ａ１方向（図１５参照）に移動し、一方雄ねじ２４３Ａを反時計方向に回転させると、雄ねじ２４３Ａが雌ねじ部２３２Ｃから抜け出し、バー本体２３２が矢印Ａ２方向（図１５参照）に移動する。
【００５９】
＜画像書込装置の特徴＞
次に、第２実施形態に係る画像書込装置２００の動作を、図２１に基づいて説明する。
当該画像書込装置２００では、電子ペーパー１０への書込動作時には、基台２０２に対して蓋部２０３を上昇させることにより、所定位置に蓋部２０３が達すると、蓋部位置決め機構２０５によって蓋部２０３が基台２０２に対して位置決めされる。これにより、光照射バー２３１のＬＥＤアレイ２３５は電子ペーパー１０との間に一定距離を確保すると共に、筐体２０１内に光照射バー２３１が移動可能な移動空間を確保する（図２１（ａ）、参照）。
一方、非書込時には、蓋部２０３を矢印Ｆ方向に降下させてゆくことにより（図２１（ａ））、蓋部２０３が光照射バー２３１の露光部２３３に当接し（図２１（ｂ）、さらに蓋部２０３を矢印Ｆ１側に降下させてゆくと、光照射バー２３１のコイルバネ２３４のバネ力に抗して露光部２３３が、バー本体２３２を包み込むように移動して両者が当接した状態となる（図２１（ｃ））。これにより、移動空間が潰されて筐体２０１内の容積を減少する。
【００６０】
＜画像書込装置の効果＞
このように、第２実施形態による画像書込装置２００にあっては、非書込時には、蓋部２０３を基台２０２側に降下させて、筐体２０１内の空間を縮小させ、筐体２０１の厚さ寸法を薄くして省スペース化を実現することができる。
【００６１】
（第２実施形態の変形例１）
前記第２実施形態では、筐体２０１においては、基台２０２に対して蓋部２０３を昇降させ、光照射バー２３１においては、バー本体２３２に対して露光部２３３を昇降させるようにした。本発明はこれに限らず、光照射バー２３１をバー本体２３２にＬＥＤアレイ２３５を設けて、露光部２３３の昇降をなくしてもよい。この場合、図２１（ｂ）の段階、つまり光照射バー２３１に蓋部２０３が当接した段階で蓋部２０３の降下がとまることになるが、筐体２０１内の空間の縮小は図られる。
【００６２】
（第２実施形態の変形例２）
前記第２実施形態では、バー移動機構２４１を基台２０２側に設けるようにしたが、蓋部２０３側に設けるようにしてもよい。この場合、蓋部２０３を基台２０２に対して降下させると、光照射バー２３１と基台２０２との間の隙間が縮小されることになり、しいては筐体２０１内の空間の縮小を図ることができる。
さらに、この場合、基台２０２の所定位置に光照射バー２３１が収納される収納溝を形成しておく。これにより、蓋部２０３が降下した際に、この収納溝内に光照射バー２３１を収納することにより、筐体２０１の厚さ寸法をさらに薄くして省スペース化を実現することができる。
【００６３】
［変形例］
上記実施形態を次のように変形してもよい。
（１）
前記各実施形態では、バー移動機構を、モータによって雄ねじを回転させて、回転止めされた光照射バーの部位に穿設された雌ねじ部に対してねじ込むことにより、前記光照射バーの部位を移動させるようにした、所謂ボールねじ構造としたが、図２２に示すようなＶベルトによるベルト駆動によって光照射バーを移動させるようにしてもよい。
【００６４】
この変形例では、バー移動機構４１の移動部のみが異なっているため、その部分について説明する。
つまり、図２２中の移動部４０１は、駆動モータ４０２と、副方向に離間して設けられ、一方が前記駆動モータ４０２の回転軸に中心軸が軸支されたプーリ４０３と、このプーリ４０３に対向したプーリ４０４と、プーリ４０３，４０４間に架設されたＶベルト４０５と、このＶベルトの所定位置に固定されたブロック４２Ａと、を備えてなる。
そして、コントローラからの駆動信号を受けて駆動モータ４０２が回転することにより、Ｖベルト４０５がプーリ４０３，４０４間で移動を始め、ブロック４２Ａを正回転、負回転に応じて矢印Ａ１，Ａ２方向に移動させる。これにより、光照射バーを矢印Ａ方向に往復動させる。
【００６５】
また、この移動部の機構は上述したものに限らず、ブロック４２Ａ内にモータを内蔵させた自走式であってもよい。具体的には、副方向に架設した山付ベルトに対して噛み合う歯車を前記モータの回転軸に連結し、ブロック４２Ａで山付ベルトの山に歯車を噛み合わせる。これにより、モータの回転によってブロック４２Ａが山付ベルト上を移動し、光照射バーの移動を可能にする。
さらに、移動部の機構は、記載したものに限定されるものではなく、他の機構から構成されていてもよく、要は光照射バーを副方向に移動させるものであればよい。
【００６６】
（２）
前記実施形態に記載した位置決め機構は、穴に部位を係合させて位置決めを行う機構として記載したが、本発明はこれに限らず、ラッチ機構等の構成によって実現してもよく、要は、光照射バー３１の回動、外側筒部３７Ａの高さ位置、蓋部２０３の高さ位置等を決める構造であればよい。
【図面の簡単な説明】
【００６７】
【図１】本発明に係る第１実施形態による画像書込装置を示す斜視図である。
【図２】図１中の矢視II−II方向から見た断面図である。
【図３】図２中の矢視III−III方向から見た断面図である。
【図４】図２中の矢視VI−VI方向から見た断面図である。
【図５】同実施形態に係る移動ロッドを示す斜視図である。
【図６】同実施形態に係る回動位置決め機構を示す断面図である。
【図７】電子ペーパーの構成を示す構成図である。
【図８】第１実施形態による画像書込装置において、光照射バーの移動を示す説明図である。
【図９】第１実施形態の変形例１による画像書込装置を示す斜視図である。
【図１０】図９に示す同装置を示す斜視図である。
【図１１】図１０に示す同装置を示す斜視図である。
【図１２】第１実施形態の変形例２による画像書込装置を示す斜視図である。
【図１３】同変形例による露光部の位置決め機構を示す断面図である。
【図１４】同変形例による画像書込装置において、光照射バーの移動を示す説明図である。
【図１５】本発明に係る第２実施形態による画像書込装置を示す分解斜視図である。
【図１６】同実施形態に係る蓋部位置決め機構を示す断面図である。
【図１７】同実施形態に係る光照射バーを示す分解斜視図である。
【図１８】図１５中の矢視XVIII−XVIII方向から見た断面図である。
【図１９】図１８中の矢視XIX−XIX方向から見た断面図である。
【図２０】図１８中の矢視XX−XX方向から見た断面図である。
【図２１】第２実施形態による画像書込装置において、蓋部および光照射バーの移動を示す説明図である。
【図２２】変形例による移動部を示す斜視図である。
【符号の説明】
【００６８】
１０…電子ペーパー、２０，２００…画像書込装置、２１，２０１…筐体、２２，２０４…載置台、２５，２５´…収納溝、３１，２３１…光照射バー、３３，２３３…露光部、３４…脚部、３６…回動位置決め機構、３８…昇降位置決め機構、４１，２４１…バー移動機構、４３，２４３…移動部、４４，２４４…案内部、２０２…基台，２０３…蓋体、２０５…蓋部位置決め機構。
【図１】
2009093090.tif 000003
【図２】
2009093090.tif 000004
【図３】
2009093090.tif 000005
【図４】
2009093090.tif 000006
【図５】
2009093090.tif 000007
【図６】
2009093090.tif 000008
【図７】
2009093090.tif 000009
【図８】
2009093090.tif 000010
【図９】
2009093090.tif 000011
【図１０】
2009093090.tif 000012
【図１１】
2009093090.tif 000013
【図１２】
2009093090.tif 000014
【図１３】
2009093090.tif 000015
【図１４】
2009093090.tif 000016
【図１５】
2009093090.tif 000017
【図１６】
2009093090.tif 000018
【図１７】
2009093090.tif 000019
【図１８】
2009093090.tif 000020
【図１９】
2009093090.tif 000021
【図２０】
2009093090.tif 000022
【図２１】
2009093090.tif 000023
【図２２】
2009093090.tif 000024